(57)【要約】【課題】入力される映像信号に基づいて現フレームと前フレームとの間の相関を判定し、判定された相関に基づいて映像信号のゲインと発光時間とを制御することにより高画質化を図ることが可能な映像信号処理装置、映像信号処理方法、プログラム、および表示装置を提供する。【解決手段】現フレームと前フレームとの間の相関を対応する画素ごとに判定し判定結果に応じた信号レベルの相関信号を出力する相関判定部と、相関信号に基づいて発光時間制御信号を出力する発光時間設定部と、相関信号に基づいて調整値を出力する調整値設定部と、調整値に基づいて映像信号のゲインを調整し、ゲインが調整された映像信号を出力するゲイン調整部とを備え、発光時間制御信号とゲイン調整部から出力される映像信号とにより規定される１フレーム期間における発光量は、相関判定部における判定結果によらず一定である映像信号処理装置が提供される。【選択図】図３
2010015008.tif 000002
【特許請求の範囲】
【請求項１】
入力された映像信号が表す現フレームと前フレームとの間の相関を対応する画素ごとに判定し、判定結果に応じた信号レベルの相関信号を出力する相関判定部と、
前記相関信号に基づいて、１フレーム期間における発光時間を規定する発光時間制御信号を出力する発光時間設定部と、
前記相関信号に基づいて、前記映像信号のゲインを調整する調整値を出力する調整値設定部と、
前記調整値に基づいて前記映像信号のゲインを調整し、ゲインが調整された映像信号を出力するゲイン調整部と、
を備え、
前記発光時間制御信号と前記ゲイン調整部から出力される映像信号とにより規定される１フレーム期間における発光量は、前記相関判定部における判定結果によらず一定であることを特徴とする、映像信号処理装置。
【請求項２】
前記相関判定部は、
入力された映像信号を１フレーム期間保持するフレームメモリと、
前記現フレームに対応する映像信号と、前記フレームメモリから出力される前記前フレームに対応する映像信号とを対応する画素ごとに比較し、比較結果に応じた相関信号を出力する比較部と、
を備えることを特徴とする、請求項１に記載の映像信号処理装置。
【請求項３】
入力された映像信号が表す現フレームと前フレームとの間の相関を対応する画素ごとに判定し、判定結果に応じた信号レベルの相関信号を出力するステップと、
前記相関信号に基づいて１フレーム期間における発光時間を規定する発光時間制御信号を出力するステップと、
前記相関信号に基づいて前記映像信号のゲインを調整する調整値を出力するステップと、
前記調整値に基づいて前記映像信号のゲインを調整し、ゲインが調整された映像信号を出力するステップと、
を有することを特徴とする、映像信号処理方法。
【請求項４】
入力された映像信号が表す現フレームと前フレームとの間の相関を対応する画素ごとに判定し、判定結果に応じた信号レベルの相関信号を出力するステップ、
前記相関信号に基づいて１フレーム期間における発光時間を規定する発光時間制御信号を出力するステップ、
前記相関信号に基づいて前記映像信号のゲインを調整する調整値を出力するステップ、
前記調整値に基づいて前記映像信号のゲインを調整し、ゲインが調整された映像信号を出力するステップ、
をコンピュータに実行させるためのプログラム。
【請求項５】
入力された映像信号に基づいて、１フレーム期間における映像信号のゲインと発光時間とを調整する映像信号調整部と、
電流量に応じて自発光する発光素子を有する画素を少なくとも１以上有し、前記映像信号調整部から出力される映像信号と発光時間を規定する発光時間制御信号とに基づいて映像を表示する映像表示部と、
を備え、
前記映像信号調整部は、
入力された映像信号が表す現フレームと前フレームとの間の相関を対応する画素ごとに判定し、判定結果に応じた信号レベルの相関信号を出力する相関判定部と、
前記相関信号に基づいて前記発光時間制御信号を出力する発光時間設定部と、
前記相関信号に基づいて、前記映像信号のゲインを調整する調整値を出力する調整値設定部と、
前記調整値に基づいて前記映像信号のゲインを調整し、ゲインが調整された映像信号を出力するゲイン調整部と、
を有し、
前記発光時間制御信号と前記ゲイン調整部から出力される映像信号とにより規定される１フレーム期間における発光量は、前記相関判定部における判定結果によらず一定であることを特徴とする、表示装置。
【発明の詳細な説明】
【技術分野】
【０００１】
本発明は、映像信号処理装置、映像信号処理方法、プログラム、および表示装置に関する。
【背景技術】
【０００２】
近年、ＣＲＴディスプレイ（Cathode  Ray  Tube  display）に替わる表示装置として、有機ＥＬディスプレイ（organic  ElectroLuminescence  display。または、ＯＬＥＤディスプレイ（Organic  Light  Emitting  Diode  display）ともよばれる。）、ＦＥＤ（Field  Emission  Display。電界放出ディスプレイ）、ＬＣＤ（Liquid  Crystal  Display。液晶ディスプレイ）、ＰＤＰ（Plasma  Display  Panel。プラズマディスプレイ）など様々な表示装置が開発されている。
【０００３】
上記のような様々な表示装置における発光方法は、大きく分けるとインパルス（Impulse）型の発光と、ホールド（Hold）型の発光とに分類することができる。例えば、ＣＲＴディスプレイやＦＥＤなどはインパルス型の発光により映像を表示し、また、例えば、ＬＣＤなどは、１フレーム期間中発光し続けるホールド型の発光により映像を表示する。
【０００４】
また、インパルス型の発光をとる表示装置とホールド型の発光をとる表示装置とは、それぞれ表示特性が異なる。例えば、インパルス型の発光をとる表示装置は、間欠的な発光であるため、動画特性に優れ、前フレームの残像が残る現象いわゆる「動きボケ」の発生がほぼ起こらない（映像をみるユーザが「動きボケ」を感じない。）というメリットがある。しかしながら、インパルス型の発光をとる表示装置には、その反面、「フリッカー（Flicker）」が発生しやすくなるというデメリットがある。また、ホールド型の発光をとる表示装置は、１フレーム期間の間同じ表示を保持し続けるため、「フリッカー」の発生がほぼ起こらないというメリットがある反面、「動きボケ」が生じやすいというデメリットがある。
【０００５】
このような中、フリッカーや動きボケの発生を抑制して高画質化を図る技術が開発されている。１フレーム期間に２度発光させることによりフリッカーの発生を抑制する技術としては、例えば、特許文献１が挙げられ、１フレーム期間に走査線を１本おきに交互に発光させることによりフリッカーの発生を抑制する技術としては、例えば、特許文献２が挙げられる。また、動画像の表示において補間フレームを作成して表示させることにより二重像の発生を抑制する技術としては、例えば、特許文献３が挙げられる。
【０００６】
【特許文献１】特開２００６−３３０６６４号公報
【特許文献２】特開２００６−３１７８９４号公報
【特許文献３】特開２００６−１６５９７４号公報
【発明の開示】
【発明が解決しようとする課題】
【０００７】
しかしながら、フリッカーの発生を抑制する従来の技術を用いた表示装置では、入力される映像信号によらず、常に１フレーム期間に複数回（例えば、２回）発光させるので、入力される映像信号によっては、映像をみるユーザの目の残像効果によって、ユーザには当該文字が二重像として見えてしまう。以下、図９を参照してフリッカーの発生を抑制する従来の技術を用いた従来の表示装置における問題の一例を示す。
【０００８】
（フリッカーの発生を抑制する従来の技術を用いた従来の表示装置における問題）
図９は、フリッカーの発生を抑制する従来の技術を用いた従来の表示装置における問題の一例を説明するための説明図であり、図９（ａ）は従来の表示装置が画面に文字「Ｘ」を静止画像として表示している場合、図９（ｂ）は従来の表示装置が画面に文字「Ｘ」を動画像として表示している場合の一例をそれぞれ示している。
【０００９】
図９（ａ）に示すような静止画像、すなわち、前フレーム期間における表示の内容と現フレーム期間における表示の内容とが同一の場合には、フリッカーの発生を抑制する従来の技術を用いた従来の表示装置が、１フレーム期間に複数回発光させたとしても、文字「Ｘ」の表示位置が変わらないため、大きな問題は生じない。
【００１０】
しかしながら、図９（ｂ）に示すような動画像、すなわち、前フレーム期間における文字「Ｘ」の表示位置と現フレーム期間における文字「Ｘ」の表示位置とが異なる場合には、ユーザの目の残像効果によって、ユーザには前フレームにおいて表示されていた文字「Ｘ」が残像として認識されてしまう（すなわち、ユーザには文字「Ｘ」が二重像として見える。）。したがって、フリッカーの発生を抑制する従来の技術を用いた表示装置は、高画質化を十分に図ることができない。
【００１１】
また、上記のように高画質化を阻害する二重像の発生を抑制するための技術が開発されてはいるが、二重像の発生を抑制する従来の技術は、補間フレームの作成の難易度が高く、補間フレームの作成が失敗した場合（例えば、前後のフレームの画像が示す動画像に破綻をきたす補間フレームを作成した場合など）には、表示された映像に著しい破綻が生じてしまう。さらに述べれば、二重像の発生を抑制する従来の技術では、補間フレームの精度を上げようとすればするほど、コストの増加へと直結してしまう。したがって、二重像の発生を抑制する従来の技術を用いた表示装置は、高画質化を十分に図ることができない。
【００１２】
さらに、ＬＣＤなどのようにホールド型の発光をとる表示装置では、発光の原理的に動きボケが生じやすいため、例えば、二重像の発生を抑制する従来の技術と同様の技術によって動きボケの発生防止を図っている。より具体的には、ホールド型の発光をとる表示装置では、例えば、１フレーム期間に２回発光させ、２回目の発光に対応するフレームを前後のフレームから補間することによって動きボケの発生を抑制する。しかしながら、ホールド型の発光をとる表示装置における動きボケの発生防止を図る従来の技術は、上記二重像の発生を抑制する従来の技術と同様に補間フレームの作成の難易度が高いため、補間フレームの作成が失敗する場合がある。したがって、補間フレームを作成することにより動きボケの発生防止を図る従来の技術を用いたホールド型の発光をとる表示装置は、高画質化を十分に図ることができない。
【００１３】
以上のように、フリッカーや二重像、動きボケの発生を抑制して高画質化を図る従来の技術では、高画質化を十分に図ることができない。
【００１４】
本発明は、上記問題に鑑みてなされたものであり、本発明の目的とするところは、入力される映像信号に基づいて現フレームと前フレームとの間の相関を判定し、判定された相関に基づいて映像信号のゲインと発光時間とを制御することにより高画質化を図ることが可能な、新規かつ改良された映像信号処理装置、映像信号処理方法、プログラム、および表示装置を提供することにある。
【課題を解決するための手段】
【００１５】
上記目的を達成するために、本発明の第１の観点によれば、入力された映像信号が表す現フレームと前フレームとの間の相関を対応する画素ごとに判定し、判定結果に応じた信号レベルの相関信号を出力する相関判定部と、上記相関信号に基づいて、１フレーム期間における発光時間を規定する発光時間制御信号を出力する発光時間設定部と、上記相関信号に基づいて、上記映像信号のゲインを調整する調整値を出力する調整値設定部と、上記調整値に基づいて上記映像信号のゲインを調整し、ゲインが調整された映像信号を出力するゲイン調整部とを備え、上記発光時間制御信号と上記ゲイン調整部から出力される映像信号とにより規定される１フレーム期間における発光量は、上記相関判定部における判定結果によらず一定である映像信号処理装置が提供される。
【００１６】
かかる構成により、入力される映像信号に基づいて現フレームと前フレームとの間の相関を判定し、判定された相関に基づいて映像信号のゲインと発光時間とを制御することにより高画質化を図ることができる。
【００１７】
また、上記相関判定部は、入力された映像信号を１フレーム期間保持するフレームメモリと、上記現フレームに対応する映像信号と、上記フレームメモリから出力される上記前フレームに対応する映像信号とを対応する画素ごとに比較し、比較結果に応じた相関信号を出力する比較部とを備えてもよい。
【００１８】
かかる構成により、現フレームと前フレームとの間の相関を判定して判定結果に応じた信号レベルの相関信号を出力することができる。よって、かかる構成により、入力される映像信号に基づいて現フレームと前フレームとの間の相関を判定し、判定された相関に基づいて映像信号のゲインと発光時間とを制御することにより高画質化を図ることができる。
【００１９】
上記目的を達成するために、本発明の第２の観点によれば、入力された映像信号が表す現フレームと前フレームとの間の相関を対応する画素ごとに判定し、判定結果に応じた信号レベルの相関信号を出力するステップと、上記相関信号に基づいて１フレーム期間における発光時間を規定する発光時間制御信号を出力するステップと、上記相関信号に基づいて上記映像信号のゲインを調整する調整値を出力するステップと、上記調整値に基づいて上記映像信号のゲインを調整し、ゲインが調整された映像信号を出力するステップとを有する映像信号処理方法が提供される。
【００２０】
かかる方法を用いることによって、入力される映像信号に基づいて現フレームと前フレームとの間の相関を判定し、判定された相関に基づいて映像信号のゲインと発光時間とを制御することにより高画質化を図ることができる。
【００２１】
また、上記目的を達成するために、本発明の第３の観点によれば、入力された映像信号が表す現フレームと前フレームとの間の相関を対応する画素ごとに判定し、判定結果に応じた信号レベルの相関信号を出力するステップ、上記相関信号に基づいて１フレーム期間における発光時間を規定する発光時間制御信号を出力するステップ、上記相関信号に基づいて上記映像信号のゲインを調整する調整値を出力するステップ、上記調整値に基づいて上記映像信号のゲインを調整し、ゲインが調整された映像信号を出力するステップをコンピュータに実行させるためのプログラムが提供される。
【００２２】
かかるプログラムによって、入力される映像信号に基づいて現フレームと前フレームとの間の相関を判定し、判定された相関に基づいて映像信号のゲインと発光時間とを制御することにより高画質化を図ることができる。
【００２３】
また、上記目的を達成するために、本発明の第４の観点によれば、入力された映像信号に基づいて、１フレーム期間における映像信号のゲインと発光時間とを調整する映像信号調整部と、電流量に応じて自発光する発光素子を有する画素を少なくとも１以上有し、上記映像信号調整部から出力される映像信号と発光時間を規定する発光時間制御信号とに基づいて映像を表示する映像表示部とを備え、上記映像信号調整部は、入力された映像信号が表す現フレームと前フレームとの間の相関を対応する画素ごとに判定し、判定結果に応じた信号レベルの相関信号を出力する相関判定部と、上記相関信号に基づいて上記発光時間制御信号を出力する発光時間設定部と、上記相関信号に基づいて、上記映像信号のゲインを調整する調整値を出力する調整値設定部と、上記調整値に基づいて上記映像信号のゲインを調整し、ゲインが調整された映像信号を出力するゲイン調整部とを有し、上記発光時間制御信号と上記ゲイン調整部から出力される映像信号とにより規定される１フレーム期間における発光量は、上記相関判定部における判定結果によらず一定である表示装置が提供される。
【００２４】
かかる構成により、入力される映像信号に基づいて現フレームと前フレームとの間の相関を判定し、判定された相関に基づいて映像信号のゲインと発光時間とを制御することにより高画質化を図ることができる。
【発明の効果】
【００２５】
本発明によれば、入力される映像信号に基づいて現フレームと前フレームとの間の相関を判定し、判定された相関に基づいて映像信号のゲインと発光時間とを制御することにより高画質化を図ることができる。
【発明を実施するための最良の形態】
【００２６】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２７】
（本発明の実施形態に係る映像信号のゲインと発光時間との制御アプローチ）
本発明の実施形態に係る映像信号処理装置（以下、「映像信号処理装置１００」とよぶ場合がある。）について説明する前に、まず、本発明の実施形態に係る映像信号のゲインと発光時間との制御アプローチについて説明する。図１は、本発明の実施形態に係る映像信号のゲインと発光時間との制御アプローチを説明するための第１の説明図である。また、図２は、本発明の実施形態に係る映像信号のゲインと発光時間との制御アプローチを説明するための第２の説明図である。
【００２８】
図１を参照すると、図１は、縦軸に映像信号の信号レベルをとり、横軸に発光時間を示している。図１（ａ）はインパルス型の発光の状態を示しており、信号レベルがＬ１で発光時間がｔ１であることから、発光量はＬ１×ｔ１で表される。また、図１（ｂ）は、ホールド型の発光の状態を示しており、信号レベルがＬ２（Ｌ２＜Ｌ１）で発光時間がｔ２（ｔ２＞ｔ１）であることから、発光量はＬ２×ｔ２で表される。
【００２９】
ここで、図１（ａ）に示す場合と図１（ｂ）に示す場合とにおける発光量が同一のとき、すなわち、Ｌ１×ｔ１＝Ｌ２×ｔ２のとき、図１（ａ）に示す場合と図１（ｂ）に示す場合との積和は、以下の数式１で表される。
【００３０】
【数１】
2010015008.tif 000003
【００３１】
数式１に示す関係が成り立つ場合、すなわち、発光量が同一の場合には、人間の目の積分効果によって、図１（ａ）に示すインパルス型の発光の状態であっても、または、図１（ｂ）に示すホールド型の発光の状態であっても、ユーザの目には同じ明るさの映像にみえる。したがって、発光量を同一に保てば、インパルス型の発光の状態とホールド型の発光の状態とを切り替えて表示したとしても階調は損なわれず、画質の劣化は発生しないこととなる。
【００３２】
上記では、図１を参照してインパルス型の発光の状態（図１（ａ））とホールド型の発光の状態（図１（ｂ））とを切り替えて表示したとしても、数式１の関係が成立する場合には階調は損なわれないことを示した。しかしながら、本発明の実施形態に係る映像信号のゲインと発光時間との制御方法は、図１に示す２段階に限られない。例えば、映像信号処理装置１００は、図２（ａ）〜図２（ｄ）に示すように映像信号のゲインと発光時間とを３以上の複数段階に変化させることもできる。ここで、図２（ａ）は、図１（ａ）に示すインパルス型の発光の状態を示しており、図２（ｄ）は、図１（ｂ）に示すホールド型の発光の状態を示している。また、図２（ｂ）、図２（ｃ）は、それぞれインパルス型の発光の状態（図１（ａ））とホールド型の発光の状態（図１（ｂ））との中間の状態を示している。
【００３３】
図２に示すように、映像信号のゲインと発光時間とを３以上の複数段階に変化させることによって、映像信号処理装置１００は、多様な発光の状態を実現することができる。また、図２（ａ）〜図２（ｄ）に示すように発光の状態が複数設定されたとしても、例えば、以下の数式２に示すように各状態における発光量が同一となるように映像信号のゲインと発光時間とが制御されれば、階調は損なわれず画質の劣化は発生しない。
【００３４】
【数２】
2010015008.tif 000004
【００３５】
本発明の実施形態に係る映像信号処理装置１００は、数式１、数式２に示す関係に着目し、映像信号のゲインと発光時間とを、例えば以下に示す（１）〜（３）の処理により制御することによって、フリッカーと動きボケとの発生を防止する。
【００３６】
（１）現フレームと前フレームとの間の相関の判定
映像信号処理装置１００は、入力された映像信号が表す映像が表示されるフレーム（以下、「現フレーム」という。）と、現フレームの１フレーム期間前のフレーム（以下、「前フレーム」という。）との間の相関を判定する。現フレームと前フレームとの相関を判定することによって、映像信号処理装置１００は、映像信号が示す映像に含まれる被写体（例えば、人や動物、あるいは、車などの物。）が静止画像であるのか、または動画像であるのかを判定することができる。また、映像信号処理装置１００は、現フレームと前フレームとの相関の強さ（以下、「相関レベル」とよぶ場合がある。）を判定することによって、映像信号が示す映像に含まれる被写体が静止画像であるのかまたは動画像であるのかだけではなく、さらに、当該被写体にどの程度の動きがあるのかを判定することができる。
【００３７】
上記のように相関レベルを判定することによって、映像信号処理装置１００は、相関の強さに対応した発光の状態で映像を表示画面表示させることができる。例えば、相関レベルが最も大きい場合（すなわち、相関の強さが最も強い場合）には静止画像である可能性が高いので、映像信号処理装置１００は、図２（ｄ）に示すホールド型の発光の状態で映像を表示させる。逆に、相関レベルが最も小さい場合（すなわち、相関の強さが最も弱い場合）には動きが大きな動画像である可能性が高いので、映像信号処理装置１００は、図２（ａ）に示すインパルス型の発光の状態で映像を表示させる。そして、映像信号処理装置１００は、相関レベルが最小値と最大値との中間の大きさである場合には、相関レベルに応じて図２（ｂ）や図２（ｃ）に示すような発光の状態で映像を表示させる。上記のように相関レベルに応じて発光の状態を制御することによって、映像信号処理装置１００は、多様な発光の状態を実現することが可能となる。なお、本発明の実施形態に係る相関レベルに応じた発光の状態の制御については、後述する。
【００３８】
映像信号処理装置１００は、例えば、入力された映像信号（現フレームに対応する映像信号）と前フレームに対応する映像信号とに基づいて、表示画面に映像を表示する場合の表示位置にそれぞれ対応する画素ごとに相関レベルの判定を行う。ここで、相関レベルの判定の方法としては、例えば、前フレームの映像信号と現フレームの映像信号との間の差分値（または、差分値の絶対値）を画素ごとにとることが挙げられるが、上記に限られない。例えば、映像信号処理装置１００は、動きベクトルを検出し、当該動きベクトルの大きさに基づいて相関レベルを導出することもできる。
【００３９】
また、映像信号処理装置１００は、例えば、表示画面を複数の分割領域に分割して、当該分割領域ごとに相関レベルの判定を行うこともできる。上記の場合には、映像信号処理装置１００は、例えば、分割領域内に含まれる画素それぞれについて相関レベルを判定し、判定結果の頻度が高い結果を当該分割領域の判定結果とする。なお、本発明の実施形態に係る映像信号処理装置１００における相関レベルの判定方法が、上記に限られないことは、言うまでもない。
【００４０】
（２）判定結果（相関レベル）に応じた信号レベルの相関信号の出力
映像信号処理装置１００は、上記（１）の処理において判定された相関レベルに基づいて、当該相関レベルに応じた信号レベルの相関信号を出力する。ここで、映像信号処理装置１００は、例えば、相関レベルと相関信号の信号レベルとが対応付けられたルックアップテーブル（Look  Up  Table）を用いることによって、相関レベルに応じた信号レベルの相関信号を一意に出力することができるが、上記に限られない。
【００４１】
（３）相関信号に基づく映像信号のゲインと発光時間との制御
映像信号処理装置１００は、上記（２）の処理において出力された相関信号に基づいて、映像信号のゲインと発光時間とを制御する。なお、以下では、相関信号に基づく映像信号のゲインの制御と、相関信号に基づく発光時間の制御とをそれぞれ説明するが、映像信号処理装置１００は、映像信号のゲインの制御と発光時間の制御とを同期して行うことができる。
【００４２】
（３−１）映像信号のゲインの制御
映像信号処理装置１００は、相関信号に基づいて、相関信号の信号レベルに応じた調整信号を画素ごとに出力する。そして、映像信号処理装置１００は、例えば、入力された映像信号と上記調整信号とを乗算することによって、入力された映像信号のゲインを調整する。上記の場合、上記調整信号は、映像信号のゲインを調整するための乗算係数としての役目を果たす。映像信号処理装置１００における調整信号の出力方法については、後述する。
【００４３】
（３−２）発光時間の制御
映像信号処理装置１００は、相関信号に基づいて、相関信号の信号レベルに応じた発光時間制御信号を出力する。ここで、発光時間制御信号とは、１フレーム期間における発光時間を規定する信号である。映像信号処理装置１００における発光時間制御信号の出力方法については、後述する。
【００４４】
映像信号処理装置１００は、上記（３−１）、（３−２）に示すように、相関信号に基づいて調整信号と発光時間制御信号とをそれぞれ出力することによって、映像信号のゲインを調整（制御）し、また発光時間を制御することができる。以下に、映像信号処理装置１００において相関信号に基づいて制御される映像信号のゲインと発光時間との関係の一例を示す。
【００４５】
[相関信号に基づいて制御される映像信号のゲインと発光時間との関係の一例]
（Ｉ）相関信号が、相関レベルが最大の場合に対応する信号であるとき：静止画像である可能性が高い場合
上記（２）の処理において出力された相関信号が、相関レベルが最大の場合に対応する相関信号である場合には、静止画像である可能性が高い。よって、映像信号処理装置１００は、例えば、図２（ｄ）に示すホールド型の発光を選択する。そして、映像信号処理装置１００は、図２（ｄ）に示すような状態を作りだすように、映像信号のゲインと発光時間とを制御する。
【００４６】
ここで、静止画像が表示される場合には動きボケが生じる可能性は低いので、映像信号処理装置１００は、上記の場合にはホールド型の発光を選択してフリッカーの発生を防止する。したがって、本発明の実施形態に係る映像信号処理装置１００は、フリッカーと動きボケとの発生を防止することができる。
【００４７】
なお、例えば、ヨーロッパ圏などで採用されているＰＡＬ（Phase  Alternating  Line）規格はフレーム周期が５０Ｈｚであり、ＮＴＳＣ（National  Television  Standards  Committee）規格のフレーム周期５９．９４Ｈｚよりも低いことから、ＰＡＬ規格ではフリッカーが特に生じやすい。しかしながら、たとえ、ＰＡＬ規格に従った映像信号であっても、映像信号処理装置１００は、静止画像が表示される場合（相関レベルが最大の場合）にはホールド型の発光を選択することができるので、フリッカーの発生を防止することができる。
【００４８】
（ＩＩ）相関信号が、相関レベルが最小の場合に対応する信号であるとき：動きが大きな動画像である可能性が高い場合
上記（２）の処理において出力された相関信号が、相関レベルが最小の場合に対応する相関信号である場合には、動きが大きな動画像である可能性が高い。よって、映像信号処理装置１００は、例えば、図２（ａ）に示すインパルス型の発光を選択する。そして、映像信号処理装置１００は、図２（ａ）に示すような状態を作りだすように、映像信号のゲインと発光時間とを制御する。
【００４９】
動きが大きな動画像が表示される場合にはフリッカーが生じる可能性は低いので、映像信号処理装置１００は、上記の場合にはインパルス型の発光を選択して動きボケの発生を防止する。したがって、本発明の実施形態に係る映像信号処理装置１００は、フリッカーと動きボケとの発生を防止することができる。
（ＩＩＩ）相関信号が、相関レベルが最小〜最大の中間の場合に対応する信号であるとき：その他の場合
上記（２）の処理において出力された相関信号が、相関レベルが最小〜最大の中間の場合に対応する相関信号である場合には、映像信号処理装置１００は、相関信号の信号レベルに応じて映像信号のゲインと発光時間とを制御する。例えば、相関レベルがより最大値に近い場合に対応する相関信号が上記（２）の処理において出力されたときには、映像信号処理装置１００は、動きボケよりもフリッカーの発生を防止するために、図２（ｃ）に示すような状態を作りだすように映像信号のゲインと発光時間とを制御する。また、相関レベルがより最小値に近い場合に対応する相関信号が上記（２）の処理において出力されたときには、映像信号処理装置１００は、フリッカーよりも動きボケの発生を防止するために、図２（ｂ）に示すような状態を作りだすように映像信号のゲインと発光時間とを制御する。
【００５０】
映像信号処理装置１００は、例えば上記（Ｉ）〜（ＩＩＩ）に示すように相関信号に基づいて映像信号のゲインと発光時間とを制御する。したがって、映像信号処理装置１００は、相関信号の信号レベルに応じた（すなわち、相関レベルに応じた）多様な発光の状態を実現することができる。
【００５１】
本発明の実施形態に係る映像信号処理装置１００は、例えば上記（１）の処理〜（３）の処理を行うことによって、現フレームと前フレームとの間の相関に基づいて映像信号のゲインと発光時間とを制御することができる。したがって、映像信号処理装置１００は、フリッカーと動きボケとの発生を防止することができる。以下、上記（１）〜（３）の処理を実現することが可能な、本発明の実施形態に係る映像信号処理装置１００の構成について説明する。
【００５２】
また、以下では、映像信号処理装置１００から出力される映像信号を表示する本発明の実施形態に係る表示装置（以下、「表示装置２００」とよぶ場合がある。）として、発光素子に流れる電流に応じて発光する自発光型の表示装置である有機ＥＬディスプレイを例に挙げて説明する。ここで、有機ＥＬディスプレイが備える発光素子である有機ＥＬ素子は、ＩＬ特性（電流−発光量特性）が線形であるため、発光素子に印加される電流量に応じて発光する。したがって、映像信号処理装置１００から出力される映像信号を表示する表示装置２００として有機ＥＬディスプレイが適用された場合には、映像信号処理装置１００から出力される映像信号が示す被写体の光量と、表示装置２００の発光素子から発光される発光量との関係を線形とすることができるので、映像信号に忠実な映像や画像を表示することができる。
【００５３】
なお、本発明の実施形態に係る映像信号処理装置１００から出力される映像信号を表示する表示装置２００が、有機ＥＬディスプレイに限られないことは、言うまでもない。例えば、映像信号処理装置１００から出力される映像信号を表示する表示装置２００は、ＬＣＤなど発光素子に流れる電流または電圧に応じて発光させることが可能な表示装置に適用することもできる。
【００５４】
（映像信号処理装置１００）
図３は、本発明の実施形態に係る映像信号処理装置１００を示すブロック図である。ここで、図３では一の映像信号を示しているが、本発明の実施形態はかかる構成に限られない。例えば、映像信号処理装置１００に入力される映像信号は、Ｒ、Ｇ、Ｂ各色ごとに独立の信号であってもよい。
【００５５】
また、以下では、映像信号処理装置１００に入力される映像信号が、例えば、デジタル放送などで用いられるデジタル信号であるとして説明するが、上記に限られない。例えば、映像信号処理装置１００に入力される映像信号は、アナログ放送などで用いられるアナログ信号とすることもできる。映像信号がアナログ信号の場合には、映像信号処理装置１００は、例えば、Ａ／Ｄコンバータ（Analog  to  Digital  converter）を図３に示す構成の前段に備えることができる。なお、映像信号処理装置１００に入力される映像信号は、例えば、放送局から送信され映像信号処理装置１００が受信したものとすることができるが、上記に限られない。例えば、映像信号処理装置１００に入力される映像信号は、ＬＡＮ（Local  Area  Network）などのネットワークを介して外部装置から送信され映像信号処理装置１００が受信したものであってもよいし、または、映像信号処理装置１００が備える記憶部（図示せず）に保持された映像ファイルや画像ファイルを映像信号処理装置１００が読み出したものであってもよい。
【００５６】
図３を参照すると、映像信号処理装置１００は、相関判定部１０２と、フレーム配分部１０４とを備える。なお、以下に示す相関判定部１０２およびフレーム配分部１０４における信号処理は、例えば、ハードウェア（例えば、信号処理回路）および／またはソフトウェア（信号処理ソフトウェア）で実現される。
【００５７】
また、映像信号処理装置１００は、例えば、ＭＰＵ（Micro  Processing  Unit）などで構成され映像信号処理装置１００全体を制御することが可能な制御部（図示せず）や、制御部が使用するプログラムや演算パラメータなどの制御用データが記録されたＲＯＭ（Read  Only  Memory。図示せず）、制御部により実行されるプログラムなどを一次記憶するＲＡＭ（Random  Access  Memory。図示せず）、放送局などから送信される映像信号を受信する受信部（図示せず）、映像ファイルや画像ファイルを記憶可能な記憶部（図示せず）、ユーザが操作可能な操作部（図示せず）、外部装置（図示せず）と通信を行うための通信部（図示せず）などを備えてもよい。映像信号処理装置１００は、例えば、データの伝送路としてのバス（bus）により上記各構成要素間を接続する。
【００５８】
ここで、記憶部（図示せず）としては、例えば、ハードディスク（Hard  Disk）などの磁気記録媒体や、ＥＥＰＲＯＭ（Electrically  Erasable  and  Programmable  Read  Only  Memory）、フラッシュメモリ（flash  memory）、ＭＲＡＭ（Magnetoresistive  Random  Access  Memory）、ＦｅＲＡＭ（Ferroelectric  Random  Access  Memory）、ＰＲＡＭ(Phase  change  Random  Access  Memory)などの不揮発性メモリ（nonvolatile  memory）、光磁気ディスク（Magneto  Optical  Disk）などが挙げられるが、上記に限られない。また、操作部（図示せず）としては、例えば、キーボード（keyboard）やマウス（mouse）などの操作入力デバイスや、ボタン、方向キー、あるいは、これらの組み合わせなどが挙げられるが、上記に限られない。
【００５９】
また、映像信号処理装置１００と外部装置（図示せず）とは、例えば、ＵＳＢ（Universal  Serial  Bus）端子やＩＥＥＥ１３９４規格の端子などを介して物理的に接続されてもよいし、また、ＷＵＳＢ（Wireless  Universal  Serial  Bus）やＩＥＥＥ８０２．１１などを利用して無線で接続することもできる。さらに、映像信号処理装置１００と外部装置（図示せず）とは、例えば、ネットワークを介して接続することもできる。ネットワークとしては、例えば、ＬＡＮ（Local  Area  Network）やＷＡＮ（Wide  Area  Network）など有線ネットワーク、ＭＩＭＯ（Multiple-Input  Multiple-Output）を用いたＷＬＡＮ（Wireless  Local  Area  Network）などの無線ネットワーク、あるいは、ＴＣＰ／ＩＰ（Transmission  Control  Protocol/Internet  Protocol）などの通信プロトコルを用いたインターネットなどが挙げられるが、上記に限られない。したがって、通信部（図示せず）は、外部装置（図示せず）との接続形態に応じたインタフェースを有する。
【００６０】
相関判定部１０２は、入力される映像信号に基づいて、現フレームと前フレームとの間の相関を、表示画面に表示する際の表示位置にそれぞれ対応する画素ごとに判定する。そして、相関判定部１０２は、判定された相関レベルに応じた信号レベルの相関信号を出力する。つまり、相関判定部１０２は、上記（１）の処理（現フレームと前フレームとの間の相関の判定）、および上記（２）の処理（判定結果（相関レベル）に応じた信号レベルの相関信号の出力）を行う役目を果たす。
【００６１】
[相関判定部１０２の構成例]
図４は、本発明の実施形態に係る相関判定部１０２の構成の一例を示すブロック図である。図４を参照すると、相関判定部１０２は、フレームメモリ１２０と、比較部１２２とを備える。
【００６２】
フレームメモリ１２０は、映像信号を１フレーム期間分保持する（すなわち、１画面分の画像を保持する）。つまり、フレームメモリ１２０は、前フレームに対応する映像信号を保持することができる。
【００６３】
比較部１２２は、入力される映像信号（現フレームに対応する映像信号）と、フレームメモリ１２０に保持された前フレームに対応する映像信号とに基づいて、表示画面に表示する場合の表示位置にそれぞれ対応する画素ごとに相関レベルの判定を行う。ここで、比較部１２２は、例えば、前フレームの映像信号の値と現フレームの映像信号の値との間の差分値の絶対値を画素ごとに導出し、当該差分値の絶対値の大きさにより相関レベルを判定する。例えば、ある画素において上記差分値の絶対値が０（ゼロ）の場合には、当該画素における前フレームの表示内容と現フレームの表示内容とが等しい（すなわち静止画像である）可能性が高い。逆に、ある画素において上記差分値の絶対値が０（ゼロ）ではない場合には、上記差分値の絶対値が大きければ大きいほど、より動きが大きな動画像であるといえる。したがって、比較部１２２は、例えば上記のように画素ごとに相関レベルを判定することによって、入力された映像信号が示す映像が静止画像であるのかまたは動画像であるのかだけではなく、さらに、どの程度の動きがある動画像であるのかを判定することができる。なお、比較部１２２における相関レベルの判定方法が、上記に限られないことは、言うまでもない。
【００６４】
また、比較部１２２は、判定された相関レベルに基づいて、相関レベルに応じた信号レベルの相関信号を画素ごとに出力する。ここで、比較部１２２は、例えば、相関レベルと相関信号の信号レベルとが対応付けられたルックアップテーブルを用いることによって、相関レベルに応じた信号レベルの相関信号を一意に出力することができるが、上記に限られない。上記ルックアップテーブルは、例えば、比較部１２２が記憶手段を備え、当該記憶手段に保持される。比較部１２２が備える記憶手段としては、例えば、ＥＥＰＲＯＭやフラッシュメモリなどの不揮発性メモリが挙げられるが、上記に限られない。なお、比較部１２２が、映像信号処理装置１００の記憶部（図示せず）に記憶された上記ルックアップテーブルを適宜読み出すこともできることは、言うまでもない。
【００６５】
相関判定部１０２は、上記のような構成によって、相関レベルを判定し、判定された相関レベルに応じた信号レベルの相関信号を画素ごとに出力することができる。
【００６６】
再度図３を参照して、映像信号処理装置１００の構成について説明する。フレーム配分部１０４は、相関判定部１０２から出力された相関信号に基づいて映像信号のゲインと発光時間とを制御する。つまり、フレーム配分部１０４は、上記（３）の処理（相関信号に基づく映像信号のゲインと発光時間との制御）を行う役目を果たす。
【００６７】
[フレーム配分部１０４の構成例]
フレーム配分部１０４は、調整値設定部１１０と、ゲイン調整部１１２と、発光時間設定部１１４とを備える。ここで、調整値設定部１１０およびゲイン調整部１１２は、（３−１）の処理（映像信号のゲインの制御）を行う役目を果たし、発光時間設定部１１４は、上記（３−２）の処理（発光時間の制御）を行う役目を果たす。
【００６８】
〔１〕映像信号のゲインの制御
調整値設定部１１０は、相関判定部１０２から出力される相関信号に基づいて、相関信号の信号レベルに応じた調整信号を画素ごとに出力する。図５は、本発明の実施形態に係る調整値設定部１１０の機能を概念的に示す説明図である。ここで、図５では、相関信号を出力する相関判定部１０２を併せて示している。
【００６９】
図５に示すように、調整値設定部１１０は、相関判定部１０２から出力される相関信号に基づいて、相関信号の信号レベルに応じた調整値ｋｍ（ｍは、１以上の整数）を選択的に出力する。ここで、図５では、調整値設定部１１０が伝達される相関信号に応じて接続先が切り替わるスイッチＳＷ１を備える構成を示しているが、調整値設定部１１０の構成は、上記に限られない。例えば、調整値設定部１１０は、相関信号の信号レベルと調整値ｋｍとが対応付けられたルックアップテーブルを用いることによって、相関信号の信号レベルに応じた調整値ｋｍを一意に出力することができる。上記ルックアップテーブルは、例えば、調整値設定部１１０が記憶手段を備え、当該記憶手段に保持される。調整値設定部１１０が備える記憶手段としては、例えば、ＥＥＰＲＯＭやフラッシュメモリなどの不揮発性メモリが挙げられるが、上記に限られない。なお、調整値設定部１１０は、映像信号処理装置１００の記憶部（図示せず）に記憶された上記ルックアップテーブルを適宜読み出してもよい。
【００７０】
ゲイン調整部１１２は、入力された映像信号と、調整値設定部１１０から伝達される画素ごとの調整値ｋｍとに基づいて、映像信号のゲインを調整する。より具体的には、ゲイン調整部１１２は、例えば、映像信号と調整値設定部１１０から伝達される調整値ｋｍとを乗算することによって、映像信号のゲインを調整する。ここで、ゲイン調整部１１２は、例えば、乗算器で構成することができるが、上記に限られない。
【００７１】
上記のように、ゲイン調整部１１２が相関判定部１０２から出力される相関信号の信号レベルに応じた調整値ｋｍに基づいて映像信号のゲインを調整することによって、映像信号処理装置１００は、上記（Ｉ）〜（ＩＩＩ）に示すように相関信号に基づいて映像信号のゲインを制御することができる。
【００７２】
〔２〕発光時間の制御
発光時間設定部１１４は、相関判定部１０２から出力される相関信号に基づいて、相関信号の信号レベルに応じた発光時間制御信号を出力する。図６は、本発明の実施形態に係る発光時間設定部１１４の機能を概念的に示す説明図である。ここで、図６では、図５と同様に、相関信号を出力する相関判定部１０２を併せて示している。
【００７３】
図６に示すように、発光時間設定部１１４は、相関判定部１０２から出力される相関信号に基づいて、相関信号の信号レベルに応じた発光時間制御信号ｊｎ（ｎは、１以上の整数）を選択的に出力する。ここで、図６では、発光時間設定部１１４が伝達される相関信号に応じて接続先が切り替わるスイッチＳＷ２を備える構成を示しているが、発光時間設定部１１４の構成は、上記に限られない。例えば、発光時間設定部１１４は、相関信号の信号レベルと発光時間制御信号ｊｎの信号レベルとが対応付けられたルックアップテーブルを用いることによって、相関信号の信号レベルに応じた発光時間制御信号ｊｎを一意に出力することができる。上記ルックアップテーブルは、例えば、発光時間設定部１１４が記憶手段を備え、当該記憶手段に保持されるが、上記に限られない。
【００７４】
上記のように、発光時間設定部１１４が相関判定部１０２から出力される相関信号の信号レベルに応じた発光時間制御信号ｊｎを出力することによって、映像信号処理装置１００は、上記（Ｉ）〜（ＩＩＩ）に示すように相関信号に基づいて発光時間を制御することができる。
【００７５】
映像信号処理装置１００は、例えば図３に示す構成によって、上述した（１）の処理（現フレームと前フレームとの間の相関の判定）〜（３）の処理（相関信号に基づく映像信号のゲインと発光時間との制御）を行う。したがって、映像信号処理装置１００は、フリッカーと動きボケとの発生を防止することができるので高画質化を図ることができる。
【００７６】
以上のように、本発明の実施形態に係る映像信号処理装置１００は、入力される映像信号に基づいて現フレームと前フレームとの間の相関を判定し、判定された相関に基づいて映像信号のゲインと発光時間とを制御する。ここで、映像信号処理装置１００は、判定された相関レベルに応じた相関信号に基づく調整値によって、入力された映像信号のゲインを制御する。また、映像信号処理装置１００は、判定された相関レベルに応じた相関信号に基づく発光時間制御信号を出力することによって１フレーム期間における発光時間を制御する。さらに、映像信号処理装置１００では、１フレーム期間における発光量が上記数式２に示す関係を満たすように、相関信号に基づく調整値および発光時間制御信号を制御する。上記のように相関信号に基づいて映像信号のゲインと発光時間とを制御することによって、映像信号処理装置１００は、例えば上記（Ｉ）〜（ＩＩＩ）に示すような多様な発光の状態を実現することができるので、フリッカーと動きボケとの発生を防止することができる。したがって、映像信号処理装置１００は、入力される映像信号に基づいて現フレームと前フレームとの間の相関を判定し、判定された相関に基づいて映像信号のゲインと発光時間とを制御することにより高画質化を図ることができる。
【００７７】
また、上記では、本発明の実施形態として映像信号処理装置１００を挙げて説明したが、本発明の実施形態は、かかる形態に限られない。例えば、本発明の実施形態は、有機ＥＬディスプレイ、ＬＣＤなどの電流量または電圧量に応じて発光する発光素子を備える表示装置や、ＰＣ（Personal  Computer）、サーバ（Server）などのコンピュータ、携帯電話などの携帯型通信装置などに適用することができる。また、映像信号処理装置１００は、例えば、図３の各部が集積されたＩＣ（Integrated  Circuit）チップとして実現することもできる。なお、表示装置への適用については、後述する。
【００７８】
（映像信号処理装置１００に係るプログラム）
コンピュータを、本発明の実施形態に係る映像信号処理装置１００として機能させるためのプログラムによって、入力される映像信号に基づいて現フレームと前フレームとの間の相関を判定し、判定された相関に基づいて映像信号のゲインと発光時間とを制御することにより高画質化を図ることができる。
【００７９】
（映像信号処理方法）
次に、本発明の実施形態に係る映像信号処理方法について説明する。図７は、本発明の実施形態に係る映像信号処理方法の一例を示す流れ図である。なお、以下では、本発明の実施形態に係る映像信号処理方法を映像信号処理装置１００が行う場合を例に挙げて説明するが、本発明の実施形態に係る映像信号処理方法は、後述する本発明の実施形態に係る表示装置２００にも適用することができる。
【００８０】
映像信号処理装置１００は、入力された映像信号に基づいて、現フレームと前フレームとの相関レベルを画素ごとに判定し、判定結果（相関レベル）に応じた相関信号を出力する（Ｓ１００）。ここで、映像信号処理装置１００は、例えば、入力された映像信号（現フレームの映像信号に対応）の値と、フレームメモリ１２０に記憶された映像信号（前フレームの映像信号に対応）の値との間の差分値の絶対値を画素ごとに導出し、当該差分値の絶対値の大きさにより相関レベルを判定する。また、映像信号処理装置１００は、例えば、相関レベルと相関信号の信号レベルとが対応付けられたルックアップテーブルを用いることによって、相関レベルに応じた信号レベルの相関信号を一意に出力することができる。
【００８１】
映像信号処理装置１００は、ステップＳ１００において出力された相関信号に基づいて、相関信号の信号レベルに応じた発光時間制御信号を画素ごとに出力する（Ｓ１０２）。ここで、映像信号処理装置１００は、例えば、相関信号の信号レベルと発光時間制御信号の信号レベルとが対応付けられたルックアップテーブルを用いることによって、相関信号の信号レベルに応じた発光時間制御信号（上記数式２を満たす発光時間制御信号）を一意に設定することができるが、上記に限られない。
【００８２】
また、映像信号処理装置１００は、ステップＳ１００において出力された相関信号に基づいて、相関信号の信号レベルに応じた調整信号を画素ごとに設定する（Ｓ１０４）。ここで、映像信号処理装置１００は、例えば、相関信号の信号レベルと調整値とが対応付けられたルックアップテーブルを用いることによって、相関信号の信号レベルに応じた調整値（上記数式２を満たす調整値）を一意に設定することができるが、上記に限られない。
【００８３】
映像信号処理装置１００は、ステップＳ１０４において設定された調整信号に基づいて、入力された映像信号のゲインを調整する（Ｓ１０６）。
【００８４】
なお、図７では、ステップＳ１０２の処理の後にステップＳ１０４、Ｓ１０６の処理が行われる例を示しているが、ステップＳ１０２の処理とステップＳ１０４、Ｓ１０６の処理とはそれぞれ独立に行うことができる。したがって、映像信号処理装置１００は、ステップＳ１０２の処理とステップＳ１０４、Ｓ１０６の処理とを同期して行うことができ、また、ステップＳ１０４、Ｓ１０６の処理の後にステップＳ１０２の処理を行うこともできる。
【００８５】
図７に示すように、本発明の実施形態に係る映像信号処理方法は、入力される映像信号に基づいて現フレームと前フレームとの間の相関を判定し、判定された相関に基づいて、上記数式２の関係を満たすように映像信号のゲインと発光時間とを制御する。したがって、例えば図７に示す映像信号処理方法を用いることによって、映像信号処理装置１００は、入力される映像信号に基づいて現フレームと前フレームとの間の相関を判定し、判定された相関に基づいて映像信号のゲインと発光時間とを制御することにより高画質化を図ることができる。
【００８６】
（表示装置２００）
次に、本発明の実施形態に係る映像信号処理装置を適用した表示装置２００について説明する。
【００８７】
図８は、本発明の実施形態に係る表示装置２００の構成の一例を示すブロック図である。なお、図８に示す表示装置２００は、本発明の実施形態に係る表示装置の一実施形態であり、本発明の実施形態が図８の構成に限定されるものではないことは、言うまでもない。また、以下では、表示装置２００に入力される映像信号が、例えば、デジタル放送などで用いられるデジタル信号であるとして説明するが、上記に限られず、例えば、アナログ放送などで用いられるアナログ信号とすることもできる。
【００８８】
また、以下では、表示装置２００として、発光素子に流れる電流に応じて発光する自発光型の表示装置である有機ＥＬディスプレイを例に挙げて説明する。なお、本発明の実施形態に係る表示装置は、有機ＥＬディスプレイに限られず、例えば、ＬＣＤなど発光素子に流れる電流に応じて発光させることが可能な表示装置に適用することもできる。
【００８９】
図８を参照すると、表示装置２００は、映像信号調整部２０２と、映像表示部２０４とを備える。
【００９０】
また、表示装置２００は、例えば、ＭＰＵなどで構成され表示装置２００全体を制御することが可能な表示装置制御部（図示せず）や、表示装置制御部が使用するプログラムや演算パラメータなどの制御用データが記録されたＲＯＭ（図示せず）、表示装置制御部により実行されるプログラムなどを一次記憶するＲＡＭ（図示せず）、映像信号調整部２０２において映像信号の補正に用いられるデータなどを記憶可能な表示装置記憶部（図示せず）、ユーザが操作可能な表示装置操作部（図示せず）、放送局などから送信される映像信号を受信する受信部（図示せず）、外部装置（図示せず）と通信を行うための通信部（図示せず）などを備えてもよい。表示装置２００は、例えば、データの伝送路としてのバスにより上記各構成要素間を接続することができる。
【００９１】
ここで、表示装置記憶部（図示せず）としては、例えば、ハードディスクなどの磁気記録媒体や、フラッシュメモリなどの不揮発性メモリが挙げられるが、上記に限られない。また、表示装置操作部としては、例えば、キーボードやマウスなどの操作入力デバイスや、ボタン、方向キー、あるいは、これらの組み合わせなどが挙げられるが、上記に限られない。
【００９２】
また、表示装置２００と外部装置（図示せず）とは、例えば、ＵＳＢ端子などを介して物理的に接続されてもよいし、また、ＷＵＳＢなどを利用して無線で接続することもできる。さらに、映像信号処理装置１００と外部装置（図示せず）とは、例えば、ネットワークを介して接続することもできる。したがって、通信部（図示せず）は、外部装置（図示せず）との接続形態に応じたインタフェースを有する。
【００９３】
映像信号調整部２０２は、例えば、図３に示す映像信号処理装置１００と同様の構成を有することができる。したがって、映像信号調整部２０２は、入力される映像信号に基づいて現フレームと前フレームとの間の相関を判定し、判定された相関に基づいて映像信号のゲインと発光時間とを制御することができる。なお、図３では、図示していないが、映像信号調整部２０２からは、ゲインが調整された映像信号と発光時間制御信号とが出力される。
【００９４】
映像表示部２０４は、映像信号調整部２０２から出力される映像信号と発光時間制御信号とに基づいて、映像信号が示す映像を表示する。
【００９５】
[映像表示部２０４の構成例]
映像表示部２０４は、表示部２０６と、行駆動部２０８と、列駆動部２１０と、電源供給部２１２と、表示制御部２１４とを備える。
【００９６】
表示部２０６は、マトリクス状（行列状）に配置された複数の画素を備える。例えば、ＳＤ（Standard  Definition）解像度の映像を表示する表示部は、少なくとも６４０×４８０＝３０７２００（データ線×走査線）の画素を有し、カラー表示のために当該画素が赤（Red）、緑（Green）、青（Blue）のサブピクセル（sub  pixel）からなる場合には、６４０×４８０×３＝９２１６００（データ線×走査線×サブピクセルの数）のサブピクセルを有する。同様に、例えば、ＨＤ（High  Definition）解像度の映像を表示する表示部は、１９２０×１０８０の画素を有し、カラー表示の場合には、１９２０×１０８０×３のサブピクセルを有する。
【００９７】
[サブピクセル（発光素子）の適用例：有機ＥＬ素子を備える場合]
各画素のサブピクセルを構成する発光素子が有機ＥＬ素子である場合には、ＩＬ特性（電流−発光量特性）が線形となり、発光素子に印加された電流量に応じて発光する。したがって、表示装置２００として有機ＥＬディスプレイが適用された場合には、表示装置２００は、調整された映像信号が示す被写体の光量と、表示装置２００の発光素子から発光される発光量との関係を線形とすることができるので、映像信号に忠実な映像や画像を表示することができる。ここで、有機ＥＬ素子は、エレクトロルミネッセンス現象（ElectroLuminescence）により自発光する発光素子である。また、エレクトロルミネッセンス現象とは、物質（有機ＥＬ素子）の電子状態が、電界によって基底状態（ground  state）から励起状態（excited  state）へ変化し、不安定な励起状態から安定した基底状態へと戻るときに、差分のエネルギーが光として放出される現象である。
【００９８】
また、表示部２０６は、例えば、画素ごとに印加する電圧量／電流量を制御するための画素回路（図示せず）を備えていてもよい。画素回路は、例えば、印加される走査信号および電圧信号により電流量を制御するためのスイッチ素子およびドライブ素子と、電圧信号を保持するためのキャパシタで構成される。上記スイッチ素子および上記ドライブ素子は、例えば、薄膜トランジスタ（Thin  Film  Transistor）で構成される。
【００９９】
行駆動部２０８、および列駆動部２１０は、例えば、表示部２０６が有する複数の画素に電圧信号を印加して各画素を発光させる。ここで、行駆動部２０８、および列駆動部２１０は、一方が画素のＯＮ／ＯＦＦを決定する電圧信号（走査信号）を印加し、他方が表示させる映像に応じた電圧信号（映像信号）を印加する役割を果たすことができる。
【０１００】
また、行駆動部２０８、および列駆動部２１０の駆動方式としては、例えば、上記行列状に配置された画素ごとに発光させる点順次駆動走査方式、上記行列状に配置された画素を一列ごとに発光させる線順次駆動走査方式、そして、上記行列状に配置された全ての画素を発光させる面順次駆動走査方式などが挙げられる。なお、図８に示す表示装置２００の映像表示部２０４は、行駆動部２０８と列駆動部２１０との２つの駆動部を備えているが、本発明の実施形態に係る表示装置が１つの駆動部で構成できることは、言うまでもない。
【０１０１】
電源供給部２１２は、行駆動部２０８および列駆動部２１０に電源を供給し、行駆動部２０８および列駆動部２１０には電圧が印加される。また、電源供給部２１２が、行駆動部２０８および列駆動部２１０に印加する電圧の大きさは、例えば映像信号調整部２０２により調整された映像信号に応じて可変する。
【０１０２】
表示制御部２１４は、例えば、ＭＰＵなどで構成され、映像信号調整部２０２から出力される映像信号と発光時間制御信号とに基づいて、行駆動部３０８または列駆動部３１０の一方に画素のＯＮ／ＯＦＦを決定する電圧を画素に印加するための制御信号を入力し、また、他方に映像信号を入力する。また、表示制御部２１４は、映像信号調整部３０２から出力される映像信号に基づいて、電源供給部２１２による行駆動部２０８および列駆動部２１０への電源の供給を制御することもできる。
【０１０３】
ここで、表示装置２００における各発光素子へ印加する発光電流（または発光電圧。以下、同様とする。）と発光時間との制御手段の一例を示す。各画素を駆動するドライバ（行駆動部３０８または列駆動部３１０のいずれかを指す。以下、同様とする。）には、例えば、デジタルデータとしての映像信号が伝達され、ドライバが備えるＤ／Ａコンバータ（Digital  to  Aalog  Converter）によってアナログデータに変換されて各画素に印加される。上記Ｄ／Ａコンバータにおいてデジタル−アナログ変換する際の基準電圧を変えることによって、特に低輝度の階調特性を損なうこと無く、各発光素子へ印加する発光電流を変化させることができる。また、ドライバは、例えば、各画素に印加するデータを１フレームまたはそれ以上のレートで切り替えるので、表示装置２００は、当該レートを可変とし、かつ発光時間制御信号に基づいて非発光の休止時間を適度に制御することによって、発光時間を制御することができる。したがって、表示装置２００は、上記数式２の関係を満たしながら、映像信号が示す映像を表示画面に表示することができる。
【０１０４】
本発明の実施形態に係る表示装置２００は、図８に示すような構成を有することにより、入力される映像信号を補正し、当該補正された映像信号および発光時間制御信号に基づいて映像を表示することができる。
【０１０５】
以上のように、本発明の実施形態に係る表示装置２００は、上述した映像信号処理装置１００と同様の機能、構成を有する映像信号調整部２０２を備える。したがって、表示装置２００は、入力される映像信号に基づいて現フレームと前フレームとの間の相関を判定し、判定された相関に基づいて映像信号のゲインと発光時間とを調整することができる。また、表示装置２００は、例えば、有機ＥＬ素子など、流れる電流に応じて発光させることが可能な発光素子を有する映像表示部２０４を備える。したがって、表示装置２００は、調整された映像信号に忠実な映像や画像を表示することができる。
【０１０６】
したがって、表示装置２００は、入力される映像信号に基づいて現フレームと前フレームとの間の相関を判定し、判定された相関に基づいて映像信号のゲインと発光時間とを制御することによって「フリッカー」および「動きボケ」の発生を防止し、高画質化を図ることができる。
【０１０７】
また、上記では本発明の実施形態として表示装置２００を挙げて説明したが、本発明の実施形態は、かかる形態に限られない。例えば、本発明の実施形態は、有機ＥＬディスプレイ、ＬＣＤなどの電流量または電圧量に応じて発光する発光素子を備える表示装置に適用することができる。また、本発明の実施形態は、テレビジョン（Television）放送を受信する受信装置に適用することができる。
【０１０８】
（表示装置３００に係るプログラム）
コンピュータを、本発明の実施形態に係る表示装置３００として機能させるためのプログラムによって、入力される映像信号に基づいて現フレームと前フレームとの間の相関を判定し、判定された相関に基づいて映像信号のゲインと発光時間とを制御することにより高画質化を図ることができる。
【０１０９】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１１０】
例えば、図３に示す本発明の実施形態に係る映像信号処理装置１００および図８に示す表示装置２００では、入力される映像信号をデジタル信号であるとして説明したが、かかる形態に限られない。例えば、本発明の実施形態に係る映像信号処理装置および本発明の実施形態に係る表示装置は、例えば、各構成要素をアナログ回路で構成することにより、アナログ信号（映像信号）を処理することもできる。
【０１１１】
上述した構成は、本発明の実施形態の一例を示すものであり、当然に、本発明の技術的範囲に属するものである。
【図面の簡単な説明】
【０１１２】
【図１】本発明の実施形態に係る映像信号のゲインと発光時間との制御アプローチを説明するための第１の説明図である。
【図２】本発明の実施形態に係る映像信号のゲインと発光時間との制御アプローチを説明するための第２の説明図である。
【図３】本発明の実施形態に係る映像信号処理装置を示すブロック図である。
【図４】本発明の実施形態に係る相関判定部の構成の一例を示すブロック図である。
【図５】本発明の実施形態に係る調整値設定部の機能を概念的に示す説明図である。
【図６】本発明の実施形態に係る発光時間設定部の機能を概念的に示す説明図である。
【図７】本発明の実施形態に係る映像信号処理方法の一例を示す流れ図である。
【図８】本発明の実施形態に係る表示装置の構成の一例を示すブロック図である。
【図９】フリッカーの発生を抑制する従来の技術を用いた従来の表示装置における問題の一例を説明するための説明図である。
【符号の説明】
【０１１３】
１００    映像信号処理装置
１０２    相関判定部
１１０    調整値設定部
１１２    ゲイン調整部
１１４    発光時間設定部
１２０    フレームメモリ
１２２    比較部
２００    表示装置
２０２    映像信号調整部
２０４    映像表示部
【図１】
2010015008.tif 000005
【図２】
2010015008.tif 000006
【図３】
2010015008.tif 000007
【図４】
2010015008.tif 000008
【図５】
2010015008.tif 000009
【図６】
2010015008.tif 000010
【図７】
2010015008.tif 000011
【図８】
2010015008.tif 000012
【図９】
2010015008.tif 000013